(57)【要約】有無線端末クライアントと、有無線端末クライアントによりインターネットを通して接続される運営サーバーと、運営サーバーに連結されたデータサーバーとからなり、情報を提供しようとする有無線端末クライアントはデータサーバーに格納された入力フォームの中で提供しようとする情報に対応する入力フォームを運営サーバーから提供され情報を提供し、運営サーバーは情報を利用しようとする有無線端末クライアントからの要請によりデータサーバーで要請された情報を抽出して有無線端末クライアントの規格(プロトコル)とプラットホームに適合した形態に変換して提供するデータ変換/伝送システムが開視される。
2006512631.tif 000002
【特許請求の範囲】
【請求項１】
有無線端末クライアントと、
前記有無線端末クライアントによりインターネットを通して接続される運営サーバーと、
前記運営サーバーに連結されたデータサーバーと、からなり、
情報を提供しようとする有無線端末クライアントは前記データサーバーに格納された入力フォームの中で提供しようとする情報に対応する入力フォームを前記運営サーバーから提供され情報を提供し、
前記運営サーバーは情報を利用しようとする有無線端末クライアントからの要請により前記データサーバーで要請された情報を抽出して前記有無線端末クライアントの規格(プロトコル)とプラットホームに適合した形態に変換して提供することを特徴とするデータ変換/伝送システム。
【請求項２】
有無線端末クライアントと、
前記有線端末クライアントにより接続される有線サーバーと、
前記無線端末クライアントにより接続される無線サーバーと、
前記有線及び無線サーバーにより共有されるデータサーバー及びデータ変換/伝送サーバーと、を含み、
前記データ変換/伝送サーバーは情報を提供しようとする有線端末クライアントから要請された入力フォームを情報の種類に対応して前記データサーバーから抽出して提供し、前記入力フォームを通して前記有線端末クライアントから提供された情報を前記データサーバーに格納し、情報を利用しようとする無線端末クライアントから要請される情報を前記データサーバーから抽出して前記無線端末クライアントのモバイル規格とプラットホームに適合した形態に変換して提供することを特徴とするデータ変換/伝送システム。
【請求項３】
有無線端末クライアントと、
前記有線端末クライアントにより接続される有線サーバーと、
前記無線端末クライアントにより接続される無線サーバーと、
前記有線及び無線サーバーにより共有されるデータサーバー及びデータ変換/伝送サーバーと、を含み、
前記データ変換/伝送サーバーは情報を提供しようとする無線端末クライアントから要請された入力フォームを情報の種類に対応して前記データサーバーから抽出して提供し、前記入力フォームを通して前記無線端末クライアントから提供された情報を前記データサーバーに格納し、情報を利用しようとする有線端末クライアントから要請される情報を前記データサーバーから抽出して前記有線端末クライアントのプラットホームに適合した形態に変換して提供することを特徴とするデータ変換/伝送システム。
【請求項４】
前記有線端末クライアントはコンピューターシステムを含み、前記無線端末クライアントはモバイルホン、無線ＰＤＡまたはＩＭＴ−２０００端末機のいずれか一つであることを特徴とする請求項１乃至３のいずれか一つに記載のデータ変換/伝送システム。
【請求項５】
有無線端末クライアントと、
前記有線端末クライアントにより接続される有線サーバーと、
前記無線端末クライアントにより接続される無線サーバーと、
前記有線及び無線サーバーにより共有されるデータサーバー及びデータ変換/伝送サーバーと、を含み、
前記データサーバーは情報提供有無線端末クライアントから情報を入力されるための入力フォームを格納する入力フォームＤＢと、
前記入力フォームを通して提供された情報が格納される入力情報ＤＢと、
会員登録時に提供される利用者情報が格納される会員情報ＤＢと、
登録された会員が使用する無線端末機のモバイル規格とプラットホーム情報が格納される無線端末機情報ＤＢを含み、
前記有線及び無線サーバーは情報提供または情報利用を望む使用者を会員として登録され前記会員情報ＤＢに格納して管理する会員管理モジュールと、
前記有線または無線サーバーに接続される利用者が登録された会員であるかどうかを認証する認証モジュールと、
前記情報提供有無線端末クライアントの要請により適切な入力フォームを前記入力フォームＤＢから抽出して提供し、前記情報提供有無線端末クライアントから提供された情報を前記入力情報ＤＢに格納する情報入力管理モジュールと、
各モジュールの相互動作を制御し、前記データ変換/伝送サーバーを制御して情報提供有無線端末クライアントから提供された情報を前記入力情報ＤＢに格納したり情報利用有無線端末クライアントの要請により前記データ変換/伝送サーバーが抽出された情報を前記情報利用有無線端末クライアントに適合するように変換するとこれを前記情報利用有無線端末クライアントに伝送する制御モジュールと、を含み、
前記データ変換/伝送サーバーは前記情報入力管理モジュールが前記情報提供有無線端末クライアントから提供された情報を伝送するとこれを前記入力情報ＤＢに格納し、前記情報利用有無線端末クライアントから情報利用の要請があれば、前記格納された情報を情報利用有無線端末クライアントに適合したフォーマットに変換して提供することを特徴とするデータ変換/伝送システム。
【請求項６】
有無線端末クライアントと、
前記有線端末クライアントにより接続される有線サーバーと、
前記無線端末クライアントにより接続される無線サーバーと、
前記有線及び無線サーバーにより共有されるデータサーバー及びデータ変換/伝送サーバーと、を含むデータ変換/伝送システムに適用され、
情報を提供しようとする有無線端末クライアントの要請により提供する情報に対応して前記データサーバーから要請した有無線端末クライアントに適用される入力フォームを伝送し、前記入力フォームを通して情報を提供され前記データサーバーに格納する段階と、
情報を利用しようとする有無線端末クライアントが接続すると、前記有無線サーバーは前記情報利用有無線端末クライアントの情報の種類と端末装置情報をデータ変換/伝送サーバーに伝達する段階と、
前記データ変換/伝送サーバーにより前記伝達された情報の種類と一致する情報を前記データサーバーから抽出する段階と、
前記データ変換/伝送サーバーにより前記抽出された情報を前記伝達された端末装置情報に対応するフォーマットに変換する段階と、
前記変換された情報を接続された端末装置に伝送する段階と、を含むことを特徴とするデータ変換/伝送方法。
【請求項７】
前記入力フォームには前記有無線サーバーのＵＲＬ情報が含まれることを特徴とする請求項６に記載のデータ変換/伝送方法。
【請求項８】
前記情報提供有無線端末クライアントから提供される情報には前記情報が提供される地域情報が含まれることを特徴とする請求項６に記載のデータ変換/伝送方法。
【請求項９】
前記情報提供有無線端末クライアントから提供される情報に対応する入力フォームが存在しない場合、前記情報提供有無線端末クライアントが入力しようとする情報を分析して入力フォームを生成して前記データサーバーに格納すると同時にこれを情報提供有無線端末クライアントに提供することを特徴とする請求項６に記載のデータ変換/伝送方法。
【請求項１０】
前記情報提供有無線端末クライアントから提供される情報は会員により分類して格納し、情報の種類または情報利用地域により分類して前記データサーバーに格納されることを特徴とする請求項６に記載のデータ変換/伝送方法。
【請求項１１】
前記端末装置情報は有線端末クライアントの場合は運営プラットホームであり、無線端末クライアントの場合はモバイル規格(プロトコル)とプラットホームとを含むことを特徴とする請求項６に記載のデータ変換/伝送方法。
【請求項１２】
前記無線端末クライアントの端末装置情報は無線端末クライアントの現在位置情報をさらに含むことを特徴とする請求項１１に記載のデータ変換/伝送方法。
【請求項１３】
前記変換されるフォーマットは有線端末クライアントの場合ＨＴＭＬやＸＭＬフォーマットを含み、無線端末クライアントの場合ＷＭＬ、ＨＤＭＬ，ＷｉｎＣＥまたはＪＡＶＡを含むことを特徴とする請求項６に記載のデータ変換/伝送方法。
【請求項１４】
前記情報利用有無線端末クライアントの端末装置情報が前記データ変換/伝送サーバーに伝達されると、前記端末装置情報に基づいて前記接続された有無線端末クライアントを支援するかどうかを判断する段階をさらに含むことを特徴とする請求項６に記載のデータ変換/伝送方法。
【請求項１５】
前記入力フォームを通して情報を提供され前記データサーバーに格納してから、前記提供された情報の入力リストが表示され、前記情報提供有無線端末クライアントの選択により前記提供された情報のサービスを提供したり提供しないことを特徴とする請求項６に記載のデータ変換/伝送方法。
【発明の詳細な説明】
【技術分野】
【０００１】
本発明は、データ変換/伝送システム及び方法に関し、詳しくは情報提供者が、運営サーバーで提供する入力フォームを利用して有線または無線端末装置を介して情報を入力すると、運営サーバーで入力された情報を無線または有線端末装置に提供するのに適合した形態に変換して伝送することで、一つの入力フォームを利用して様々な種類の有線または無線端末装置の利用者に欲しい情報を提供するデータ変換/伝送システム及び方法に関する。
【背景技術】
【０００２】
コンピューターの普及の拡散に伴いインターネット利用者の数が急激に増加しつつ、インターネットの普遍化に伴いインターネットを通して政治、経済、社会、教育及び文化に関連する様々な情報がインターネット利用者に提供されている。
【０００３】
しかし、インターネットで提供される情報は、情報提供者が特定のウェブサイトに提供して掲示する方式であるから、該当ウェブサイトのアドレスを知らない利用者は該当する情報を得るために検索エンジンを利用し、検索結果から欲しい情報をまた一々探さなければならない手数がかかる。これを解決するためウェブサーバーと連動するメッセンジャープログラムを用いて様々な情報を実時間で提供することもあるが、提供される情報を得るためにはウェブサーバーに接続できるコンピューターシステムを備えなければならない。
【０００４】
一方、様々な情報を単方向に提供される手段として携帯電話や無線ＰＤＡのような無線端末機が広く普及されている。無線端末機は特性上時間と場所に制約を受けず、情報を迅速に送受信できるメリットがある。さらに、技術の発展に伴い無線端末機を利用して音声メッセージ、文字メッセージ及び動映像などの送受信が可能なので加入者同士の音声通話機能はもちろん、通信サービス業者から一般のインターネットで提供される情報と同一な様々な情報、例えば、天気、バイオリズム、スポーツ及び株式などに関する情報が付加情報として提供されている。
【０００５】
以上、情報を提供される利用者を中心に説明したが、情報を提供する情報提供者の立場でもインターネットまたは無線端末機を介して情報を提供することができる。特に、無線端末機を利用して情報を提供する方法はインターネットが構築されていない地域、例えば島嶼山間の地域でも実時間で情報を提供することができるメリットがある。
【０００６】
このように、情報提供者から収集される情報は実時間で利用者にまた迅速に提供される時情報の効率性が高まる。
【発明の開示】
【発明が解決しようとする課題】
【０００７】
しかし、コンピューターシステムとインターネットを含む有線ネットワークを通して収集される情報と、無線端末機と無線ネットワークを通して収集される情報とはフォーマットが相違するので、実際に片方においての利用が難しいという問題点がある。
【０００８】
さらに、無線ネットワークを通して収集される情報も無線端末機の種類とプラットホームによって情報が共有されない問題点もある。
【０００９】
結果的に、有線及び無線ネットワークを通して別々に収集される情報が相互変換され提供される必要がある。
【００１０】
本発明の目的は、有線及び無線ネットワークを通して様々に収集される情報をそれぞれの端末装置の種類やプラットホームに適用されるフォーマットに自動的に変換し提供できるデータ変換/伝送システム及び方法を提供することにある。
【００１１】
本発明の他の目的は、端末装置の種類を問わず、一つの入力フォームを共通的に適用して情報を収集できるデータ変換/伝送システム及び方法を提供することにある。
【００１２】
本発明他の目的は後術する実施例でより明らかになる。
【課題を解決するための手段】
【００１３】
本発明の第１実施例に係るデータ変換/伝送システムは、有無線端末クライアントと、有無線端末クライアントによりインターネットを通して接続される運営サーバーと、運営サーバーに連結されるデータサーバーとからなり、情報を提供しようとする有無線端末クライアントはデータサーバーに格納された入力フォームの中で提供しようとする情報に対応する入力フォームを運営サーバーから提供され情報を提供し、運営サーバは情報を利用しようとする有無線端末クライアントからの要請に従いデータサーバーで要請された情報を抽出して、有無線端末クライアントの規格(プロトコル)とプラットホームに適合した形態に変換して提供する。
【００１４】
本発明の第２実施例に係るデータ変換/伝送システムは、有無線端末クライアントと、有線端末クライアントにより接続される有線サーバーと、無線端末クライアントにより接続される無線サーバーと、有線及び無線サーバーにより共有されるデータサーバー及びデータ変換/伝送サーバーを含み、データ変換/伝送サーバーは情報を提供しようとする有線端末クライアントから要請された入力フォームを情報の種類に対応してデータサーバーから抽出して提供し、入力フォームを通して有線端末クライアントから提供された情報をデータサーバーに格納し、情報を利用しようとする無線端末クライアントから要請される情報をデータサーバーから抽出して無線端末クライアントのモバイル規格とプラットホームに適合した形態に変換して提供する。
【００１５】
本発明の第３実施例に係るデータ変換/伝送システムは、有無線端末クライアントと、有線端末クライアントにより接続される有線サーバーと、無線端末クライアントにより接続される無線サーバーと、有線及び無線サーバーにより共有されるデータサーバー及びデータ変換/伝送サーバーを含み、データ変換/伝送サーバーは情報を提供しようとする無線端末クライアントから要請された入力フォームを情報の種類に対応してデータサーバーから抽出して提供し、入力フォームを通してして前記無線端末クライアントから提供された情報をデータサーバーに格納し、情報を利用しようとする有線端末クライアントから要請される情報をデータサーバーから抽出して有線端末クライアントのプラットホームに適合した形態に変換して提供する。
【００１６】
好ましく、有線端末クライアントはコンピューターシステムを含み、無線端末クライアントはモバイルホン、無線ＰＤＡまたはＩＭＴ−２０００端末機のいずれか一つであり得る。
【００１７】
本発明の第４実施例に係るデータ変換/伝送システムは、有無線端末クライアントと、有線端末クライアントにより接続される有線サーバーと、無線端末クライアントにより接続される無線サーバーと、有線及び無線サーバーにより共有されるデータサーバー及びデータ変換/伝送サーバーとを含み、データサーバーは情報提供有無線端末クライアントから情報を入力されるための入力フォームを格納する入力フォームＤＢと、入力フォームを通して提供された情報が格納される入力情報ＤＢと、会員登録の時提供される利用者情報が格納される会員情報ＤＢ及び登録された会員が使用する無線端末機のモバイル規格とプラットホーム情報が格納される無線端末機情報ＤＢとを含み、有線及び無線サーバーは情報提供または情報利用を望む利用者を会員として登録してもらい前記会員情報ＤＢに格納して管理する会員管理モジュールと、有線または無線サーバーに接続される利用者が登録された会員であるかどうかを認証する認証モジュールと、情報提供有無線端末クライアントの要請により適切な入力フォームを入力フォームＤＢから抽出して提供し、情報提供有無線端末クライアントから提供された情報を入力情報ＤＢに格納する情報入力管理モジュールと、各モジュールの相互動作を制御し、データ変換/伝送サーバーを制御して情報提供有無線端末クライアントから提供された情報を入力情報ＤＢに格納したり情報利用有無線端末クライアントの要請によりデータ変換/伝送サーバーが抽出された情報を情報利用有無線端末クライアントに適合するように変換したら、これを情報利用有無線端末クライアントに伝送する制御モジュールとを含み、データ変換/伝送サーバーは情報入力管理モジュールが情報提供有無線端末クライアントから提供してもらった情報を伝送すればこれを入力情報ＤＢに格納し、情報利用有無線端末クライアントから情報利用の要請があれば、格納された情報を情報利用有無線端末クライアントに適合したフォーマットに変換して提供する。
【００１８】
本発明の第５実施例に係るデータ変換/伝送システムに適用される情報利用方法は、有無線端末クライアントと、有線端末クライアントにより接続される有線サーバーと、無線端末クライアントにより接続される無線サーバーと、有線及び無線サーバーにより共有されるデータサーバー及びデータ変換/伝送サーバーとを含むデータ変換/伝送システムに適用され、情報を提供しようとする有無線端末クライアントの要請に従い提供する情報に対応してデータサーバーから要請した有無線端末クライアントに適用される入力フォームを伝送して入力フォームを通して情報を提供してもらって前記データサーバーに格納する段階と、情報を利用しようとする有無線端末クライアントが接続すると、有無線サーバーは情報利用有無線端末クライアントの情報の種類と端末装置情報をデータ変換/伝送サーバーに伝達する段階と、データ変換/伝送サーバーにより伝達された情報の種類と一致する情報をデータサーバーから抽出する段階と、データ変換/伝送サーバーにより抽出された情報を伝達された端末装置情報に対応するフォーマットに変換する段階と、変換された情報を接続された端末装置に伝送する段階とを含む。
【００１９】
好ましく、入力フォームには有無線サーバーのＵＲＬ情報が含まれる。
【００２０】
また、情報提供有無線クライアントから提供される情報には情報が提供される地域情報を含むことができる。
【００２１】
好ましく、情報提供有無線クライアントから提供される情報に対応する入力フォームが存在しない場合、情報提供有無線クライアントが入力しようとする情報を分析して入力フォームを生成しデータサーバーに格納すると同時にこれを情報提供有無線端末クライアントに提供する。
【００２２】
また、情報提供有無線端末クライアントから提供される情報は会員によって分類して格納し、情報の種類または情報利用地域によって分類してデータサーバーに格納する。
【００２３】
好ましく、端末装置情報は有線端末クライアントの場合は運営プラットホームであり、無線端末クライアントの場合はモバイル規格(プロトコル)とプラットホームとを含む。
【００２４】
好ましく、無線端末クライアントの端末装置情報は無線端末クライアントの現在位置情報をさらに含むことができる。
【００２５】
好ましく、変換されるフォーマットは有線端末クライアントの場合ＨＴＭＬやＸＭＬフォーマットを含み、無線端末クライアントの場合ＷＭＬ、ＨＤＭＬ、ＷｉｎＣＥまたはＪＡＶＡを含む。
【００２６】
好ましく、情報利用有無線端末クライアントの端末装置情報がデータ変換/伝送サーバーに伝達されると、端末装置情報に基づいて接続された有無線端末クライアントを支援するかどうかを判断する段階をさらに含むことができる。
【００２７】
なお、入力フォームを通して情報を提供してもらってデータサーバーに格納した後、提供された情報の入力リストが表示され、情報提供有無線端末クライアントの選択に従って提供された情報のサービスを提供したり提供しないことができる。
【発明の効果】
【００２８】
本発明の無線端末機用データ変換及び伝送システムによれば、有線端末装置や無線端末装置から一つの入力フォームを利用して楽に情報を提供され格納できる。
【００２９】
また、格納された情報を利用するため有線端末装置や無線端末装置のどちらで接続しても格納された情報を接続された端末装置に適合するように変換して提供することで接続によるハードウェーアの制約を受けないメリットがある。
【００３０】
また、情報提供者は情報を提供する場合、情報を提供される地域を限定することができ情報提供者の立場では地域を限定して広報でき、情報利用者の立場では別の検索なしに実用的な情報を取得できるメリットがある。
【００３１】
また、無線端末機を利用して接続し情報を取得する場合には現在位置を提供することで現在位置に関連する現実的な情報を迅速に得られるメリットがある。
【発明を実施するための最良の形態】
【００３２】
以下、本発明に係るデータ変換/伝送システムの一実施例について添付の図面を参照して詳細に説明する。
【００３３】
図１は本発明の実施例に係る無線端末機用データ変換/伝送システムを示すネットワーク構成図であり、図２は本発明に係る運営サーバーの機能的構成を示すブロック図である。
【００３４】
図１を参照すると、コンピューターシステムを含む有線端末装置１００と、モバイルホン、無線ＰＤＡ及びＩＭＴ−２０００などを含む無線端末機１１０は情報提供者または情報利用者となる。以下、説明の便宜上コンピューターシステム１００から情報を提供し無線端末機１１０を利用して情報を提供される形態とその逆の形態を中心に説明する。
【００３５】
情報提供者のコンピューターシステム１００は有線サーバー２００からインターネット３００を通して情報提供のための入力フォーム(Input Form)を要請すると、有線サーバー２００はデータ変換/伝送サーバー６００にコンピューターシステム１００の接続時入力されたＩＤを提供して認証をもらってから、データサーバー７００から対応する入力フォームを抽出してもらい提供されこれをコンピューターシステム１００に伝送する。そして、情報提供者は伝送された入力フォームを利用して取得した情報を加工して有線サーバー２００に提供し、有線サーバー２００は収集された情報をデータ変換/伝送サーバー６００に伝達すると、データ変換/伝送サーバー６００はこれをデータサーバー７００に格納する。
【００３６】
同様に、情報利用者の無線端末機１１０から移動通信社サーバー４００を通して無線サーバー５００欲しい情報を要請すると、無線サーバー５００はデータ変換/伝送サーバー６００に欲しい情報と共に接続された無線端末機情報を伝達し、データ変換/伝送サーバー６００は伝達された無線端末機情報の中、例えば、電話番号を通して認証をもらってから欲しい情報をデータサーバー７００から抽出した後、接続された無線端末機のモバイル規格(プロトコル)及びプラットホームに適合するように変換して無線サーバー５００に提供すると、無線サーバー５００はこれを無線端末機１１０に伝送する。
【００３７】
ここで、有線サーバー２００と無線サーバー５００はそれぞれの機能を区別するために分離したもので、実際には一つの運営サーバー内に具現することができ、データサーバーおもデータベースの形態として運営サーバー内に構築することもできる。なお、図１には有線サーバーと無線サーバー及びデータサーバーがインターネットに別に連結されるよう図示されているが、専用ラインで連結されることもできる。
【００３８】
図２を参照すると、本発明に適用される有線サーバー、無線サーバー、データ変換/伝送サーバー及びデータサーバーそれぞれの機能的構成とデータの流れを示している。
【００３９】
有線サーバー２００と無線サーバー５００とは基本的に同一な機能を具現するモジュールらからなり、但し無線サーバー５００は特性上無線端末機情報を管理する無線端末機情報管理モジュールをさらに含む。従って、有無線の区分なしに運営サーバーに統合される場合はそれぞれの共通する機能モジュールを一つずつ具備する。
【００４０】
データサーバー７００は有線及び無線入力フォームＤＢ７１０、７１０’、入力情報ＤＢ７２０、会員情報ＤＢ７３０及び無線端末機情報ＤＢ７４０を含む。
【００４１】
入力フォームＤＢ７１０、７１０’には情報提供者の情報提供を容易にするための入力インターフェースとして入力フォームが格納される。例えば、図４Ａ乃至図４Ｃに図示されたように、不動産、自動車、求人/求職または生活情報などのように入力される情報の種類によって様々な形態の入力フォームが格納される。入力フォームは有線端末装置と無線端末装置の装置特性上、別のデータベースに管理され、入力フォーム内には接続されるサーバーのＵＲＬ情報が含まれる。
【００４２】
入力情報ＤＢ７２０には情報提供者が入力フォームを通して提供した情報が格納される。この際、入力された情報は会員によって分類されて格納され、なお入力された情報の種類または情報利用地域によって分類されて格納される。なお、入力情報ＤＢ７２０には情報利用者に情報が伝達された内訳が共に格納されることができる。入力情報ＤＢ７２０にはテキスト情報とイメージ情報とが格納され、各端末装置に対応し変換されない原始情報が格納される。
【００４３】
なお、会員情報ＤＢ７３０には会員登録時提供される利用者情報が格納されるが、登録される会員は情報提供者または情報利用者の役割を並行し登録時に決まるのではない。利用者情報は、例えば、会員ＩＤ、暗証番号、氏名、商号、無線端末機の電話番号、住所及び取引業種などが格納される。
【００４４】
そして、無線端末機情報ＤＢ７４０には登録された会員が使用する無線端末機のモバイル規格、例えば電話番号、製造社、液晶画面サイズと表示色数、着信音の最大和音数などの情報とプラットホームが格納される。このような無線端末機情報は会員として登録してから最初の接続時スキャンされ会員情報ＤＢに格納された電話番号をインデックスキーとして会員情報ＤＢと連結され格納される。なお、無線端末機情報ＤＢ７４０には選択的に無線端末機の現在位置が格納されることができ、位置情報はＧＰＳ(Global Positioning System)衛星を通して移動通信社サーバーまたは位置情報提供会社から提供されることができる。
【００４５】
有無線サーバーの会員管理モジュール２５０、５５０は情報提供または情報利用を望む利用者を会員として登録され会員情報ＤＢ７３０に格納して管理する役割をする。この際、登録する会員から会員ＩＤと暗証番号、無線端末機の電話番号及び住所などを基本事項として入力される。
【００４６】
認証モジュール２４０、５４０は有線サーバー２００や無線サーバー５００に接続される利用者が登録された会員であるかどうかを認証する。有線サーバー２００から接続する場合には入力される会員ＩＤと暗証番号とを利用して会員情報ＤＢ７３０と比べ、無線サーバー５００から接続する場合には移動通信社サーバー４００から提供される無線端末機情報の中で電話番号を利用して会員情報ＤＢ７３０と比べて登録された会員であるかどうかをチェックする。
【００４７】
情報入力管理モジュール２３０、５３０は情報提供者の要請により適切な入力フォームを入力フォームＤＢ７１０、７１０’から抽出して提供し、情報提供者から提供された情報を会員別や情報の種類別または情報利用地域別に分類して入力情報ＤＢ７２０に格納する。入力フォームは様々なモバイル規格やプッラトホームに適合するように、なお情報の種類によって予め製作されることができ、情報提供者の要請により後ほど製作して提供することができる。
【００４８】
無線端末機管理モジュール５２０は無線端末機１１０が移動通信社サーバー４００を経由して無線サーバー５００に接続した場合、無線端末機情報をチェックして無線端末機情報ＤＢ７４０に格納して管理する。前述のように、無線端末機のモバイル規格、例えば、電話番号、製造者、液晶画面サイズと液晶表示色数、着信音の最大和音数などの情報とプラットホームをチェックし、選択的に移動通信社サーバーや位置情報提供会社から無線端末機の現在位置を提供され格納することができる。
【００４９】
制御モジュール２１０、５１０は各モジュールの相互動作を制御し、データ変換/伝送サーバー６００を制御して情報提供者から提供された情報を入力情報ＤＢ７２０に格納したり情報利用者の要請によりデータ変換/伝送サーバー６００が抽出された情報を情報利用者の端末装置に適合するように変換したらこれを情報利用者に伝送する。
【００５０】
データ変換/伝送サーバー６００は情報入力管理モジュール２３０、５３０が情報提供者から提供された情報を伝送するとコレを入力情報ＤＢ７２０に格納し、格納される情報は単にテキストやイメージであり得る。なお、データ変換/伝送サーバー６００は情報利用者から情報利用の要請があれば、格納された情報を情報利用者の端末装置に適合したフォーマットに変換して提供する。変換されるフォーマットは、例えば、有線端末装置のためのＨＴＭＬやＸＭＬ，無線端末装置のためのＷＭＬ、ＨＤＭＬ、ＷｉｎＣＥ、ＪＡＶＡの形態を有することができる。特に、無線端末装置であってもモバイルホンで使用するプラットホームと無線ＰＤＡで使用するプラットホーム、ＩＭＴ−２０００などで使用するプラットホームが互いに異なるのでそれぞれのプラットホームに適合したデータに変換して提供する。
【００５１】
以下、本発明のデータ変換/伝送システムの動作を詳細に説明する。
【００５２】
図３は本発明のデータ変換/伝送システムを利用して情報を提供する過程を説明するフローチャートであり、図４Ａ乃至図４Ｃは情報提供時利用される入力フォームの一例を示す例示図である。
【００５３】
情報を提供または利用しようとする利用者は予め会員として登録し、サーバー側会員管理モジュール２５０、５５０は利用者情報を入力され会員情報ＤＢ７３０に格納する。
【００５４】
情報提供者は加工された情報を提供するためコンピューターシステムやモバイルホンを利用して有線サーバー２００や無線サーバー５００に接続する(段階Ｓ３０２)。
【００５５】
接続されたら、認証モジュール２４０、５４０は接続された利用者が登録された会員であるかどうかを認証する(段階Ｓ３０４)。コンピューターシステムからの接続は入力された会員ＩＤと暗証番号を利用でき、モバイルホンの場合は移動通信社サーバー４００から提供される電話番号を利用することができる。
【００５６】
登録会員でない場合には登録手続きを行い(段階Ｓ３０５)、登録会員として認証されれば、自分が提供しようとする情報の種類に対応する入力フォームを要求する。情報入力管理モジュール２３０、５３０は情報提供者が要求する入力フォームが存在するかどうかを判断して(段階Ｓ３０６)、入力フォームが存在しない場合には情報提供者が入力しようとする情報を分析して入力フォームを生成し、該当する入力フォームＤＢ７１０、７１０’に格納すると同時にこれを情報提供者に提供する(段階Ｓ３０７)。
【００５７】
一方、入力フォームが存在する場合には提供しようとする情報の種類を参照して接続されたコンピューターシステムやモバイルホンに対応する入力フォームを入力フォームＤＢ７１０、７１０’から抽出して情報提供者に提供する(段階Ｓ３０８)。提供される入力フォームには接続される有線または無線サーバーＵＲＬ情報が含まれる。
【００５８】
情報提供者は伝送された入力フォームを用いて加工された情報を提供し、サーバー側制御モジュール２１０、５１０はデータ変換/伝送サーバー６００を制御して入力された情報を入力情報ＤＢ７２０に格納する(段階Ｓ３０９)。
【００５９】
情報を提供する場合には情報利用地域を含めることで提供される情報を地域的に限定して実際に役に立てるようにすることができる。
【００６０】
図４Ａを参照すると、不動産売買に関する情報を提供する場合で、地域または位置、売買または賃貸などの関係、坪数、期間及び情報提供者の連絡先などを記載する。なお、図４Ｂのように求人/求職に関する情報を提供する場合には地域、求人、求職またはアルバイトなどの関係、時間帯、職種、位置及び情報提供者の連絡先などを記載できる。図４Ｃを参照すると、自動車に関する情報を提供する場合で、地域、製造社、価格及び情報提供者の連絡先などを入力する。これと共に情報提供者がホームページを有している場合にはホームページのＵＲＬを別に入力して提供することができる。
【００６１】
なお、入力情報を格納する際には情報を会員により分類して格納し、さらに入力された情報の種類または情報利用地域により分類して格納することができる。
【００６２】
格納が自動的に成されると、情報提供者により提供された情報の入力リストが表示され、情報提供者は表示された入力リストから望む項目の情報に対してサービスを提供するかまたはサービス提供を完了するかのモードを選択する(Ｓ３１０)。
【００６３】
選択されたモードがサービス提供なのかを判断して(段階Ｓ３１１)サービス提供である場合には一般利用者がサーバーに接続する場合提供された情報を表示し(段階Ｓ３１２)、サービス完了である場合には一般利用者がサーバーに接続する場合情報を表示しない(段階Ｓ３１３)。
【００６４】
図５は本発明のデータ変換/伝送システムを通して情報を利用する過程を説明するフローチャートである。
【００６５】
情報利用者は加工された情報を利用するためコンピューターシステムやモバイルホンを利用して有線サーバー２００や無線サーバー５００に接続する(段階Ｓ５０２)。
【００６６】
接続されたら、認証モジュール２４０、５４０は接続された利用者が登録された会員であるかどうかを認証する(段階Ｓ５０３)。コンピューターシステムからの接続は入力された会員ＩＤと暗証番号を利用でき、モバイルホンの場合は移動通信社サーバー４００から提供される電話番号を利用できる。
【００６７】
登録会員でない場合には登録手続きを行い(段階Ｓ５０４)、登録会員として認証されると、制御モジュール２１０、５１０は接続された端末装置の端末装置情報をデータ変換/伝送サーバー６００に伝達する(段階Ｓ５０５)。即ち、コンピューターシステムからの要請である場合には会員ＩＤを伝達し、モバイルホンの場合は無線端末機のモバイル規格、例えば、電話番号、製造社、液晶画面サイズと液晶表示色数、着信音の最大和音数などの情報とプラットホームを伝達する。好ましく、モバイルホンの場合は現在位置情報とモバイルホン利用者の性別が一緒に伝達されることもある。
【００６８】
なお、無線サーバー５００の無線端末機管理モジュール５２０は制御モジュールからモバイル規格とプラットホームを伝達され無線端末機情報ＤＢ７４０に格納する。
【００６９】
データ変換/伝送サーバー６００は端末装置情報を参考して支援可能な装置であるかどうかを判断して(段階Ｓ５０６)支援しない端末装置の場合は支援しないという警告メッセージを伝送し(段階Ｓ５０７)、支援する端末装置である場合は情報要請を受け入れる(段階Ｓ５０８)。
【００７０】
データ変換/伝送サーバー６００は伝達された情報の種類と一致する情報が存在するかどうかを判断して(段階Ｓ５０９)、情報が存在しない場合には再検索するかを判断して(段階Ｓ５１０)再検索を望まなければ資料が存在しないというメッセージを伝達する(段階Ｓ５１１)。一方、情報が存在する場合には該当する情報を入力情報ＤＢ(７２０)から抽出する(段階Ｓ５１２)。例えば、情報利用者がソウル地域に限定して求人/求職情報を望む場合、データ変換/伝送サーバー６００は提供された情報の中から地域が“ソウル”に限定された情報の中から“求人/求職”に関する情報を抽出する。なお、好ましく、モバイルホンによる接続の際には現在のモバイルホンの位置情報を参照して該当地域でフィルターリングした情報を提供できる。即ち、ソウル地域に限定した求人/求職情報の中から現在利用者が位置した“シンリム洞”に限定した情報を提供して情報利用者の立場ではより実際的な情報の提供を受けることができる。
【００７１】
データ変換/伝送サーバー６００は抽出された情報を接続された端末装置の情報に対応するフォーマットに変換する(段階Ｓ５１３)。例えば、コンピューターシステムを通して接続された場合にはＨＴＭＬやＸＭＬの形態で情報を提供し、モバイルホンの場合はＷＭＬ、ＰＤＡの場合はＨＤＭＬやＷｉｎＣＥ、ＪＡＶＡの形態で情報を提供することができる。
【００７２】
続いて制御モジュール２１０、５１０は変換された情報を接続された端末装置に伝送する(段階Ｓ５１４)。
【００７３】
好ましく、情報を提供した後には提供された情報の内容と情報利用者に対する内訳が入力情報ＤＢ７２０に格納され課金の資料として利用されることもある。
【００７４】
利用者は伝送され端末装置のディスプレイに表示される情報を必要によってオフラインに出力できる(段階Ｓ５１５)。
【産業上の利用可能性】
【００７５】
以上、本発明の好ましい実施例について詳しく記述したが、本発明の属する技術分野において通常の知識を有する人であれば、添付の請求範囲に定義された本発明の精神及び範囲から外れないながら本発明を変形または変更して実施できることが分かれる。従って、本発明のこれからの実施例の変更は本発明の権利範囲から外れない。
【図面の簡単な説明】
【００７６】
【図１】本発明に係るデータ変換/伝送システムが適用されるネットワークの構成を示す構成図である。
【図２】本発明に係る運営サーバーの機能的構成を示すブロック図である。
【図３】本発明のデータ変換/伝送システムを利用して情報を提供する過程を説明するフローチャートである。
【図４．Ａ】情報提供時利用される入力フォームの一例を示す例示図である。
【図４．Ｂ】情報提供時利用される入力フォームの一例を示す例示図である。
【図４．Ｃ】情報提供時利用される入力フォームの一例を示す例示図である。
【図５】本発明のデータ変換/伝送システムを利用してデータを変換/伝送する過程を説明するフローチャートである。
【図１】
2006512631.tif 000003
【図２】
2006512631.tif 000004
【図３】
2006512631.tif 000005
【図４．Ａ】
2006512631.tif 000006
【図４．Ｂ】
2006512631.tif 000007
【図４．Ｃ】
2006512631.tif 000008
【図５】
2006512631.tif 000009
【手続補正書】
【提出日】平成16年11月8日(2004.11.8)
【手続補正１】
【補正対象書類名】特許請求の範囲
【補正対象項目名】全文
【補正方法】変更
【補正の内容】
【特許請求の範囲】
【請求項１】
有無線端末クライアントと、
前記有線端末クライアントにより接続される有線サーバーと、
前記無線端末クライアントにより接続される無線サーバーと、
前記有線及び無線サーバーにより共有されるデータサーバー及びデータ変換/伝送サーバーと、を含み、
前記データサーバーは情報提供有無線端末クライアントから情報を入力されるための入力フォームを格納する入力フォームＤＢと、前記入力フォームを通して提供された情報が格納される入力情報ＤＢと、会員登録時提供される利用者情報が格納される会員情報ＤＢ及び登録された会員が使用する無線端末機のモバイル規格とプラットホーム情報が格納される無線端末機情報ＤＢと、を含み、
前記有線及び無線サーバーは情報提供または情報利用を望む使用者を会員として登録され前記会員情報ＤＢに格納して管理する会員管理モジュールと、前記有線または無線サーバーに接続される利用者が登録された会員であるかどうかを認証する認証モジュールと、前記情報提供有無線端末クライアントの要請により適切な入力フォームを前記入力フォームＤＢから抽出して提供し、前記情報提供有無線端末クライアントから提供された情報を前記入力情報ＤＢに格納する情報入力管理モジュールと、各モジュールの相互動作を制御し、前記データ変換/伝送サーバーを制御して情報提供有無線端末クライアントから提供された情報を前記入力情報ＤＢに格納したり情報利用有無線端末クライアントの要請により前記データ変換/伝送サーバーが抽出された情報を前記情報利用有無線端末クライアントに適合するように変換するとこれを情報利用有無線端末クライアントに伝送する制御モジュールと、を含み、
前記データ変換/伝送サーバーは前記情報入力管理モジュールが前記情報提供有無線端末クライアントから提供された情報を伝送するとこれを前記入力情報ＤＢに格納し、前記情報利用有無線端末クライアントから情報利用の要請があれば、前記格納された情報を情報利用有無線端末クライアント規格(プロトコル)とプラットホームに適合するフォーマットに変換して提供することを特徴とするデータ変換/伝送システム。
【請求項２】
有無線端末クライアントと、
前記有線端末クライアントにより接続される有線サーバーと、
前記無線端末クライアントにより接続される無線サーバーと、
前記有線及び無線サーバーにより共有されるデータサーバー及びデータ変換/伝送サーバーと、を含むデータ変換/伝送システムに適用され、
前記データサーバーは情報提供有無線端末クライアントから情報を入力されるための入力フォームを格納する入力フォームＤＢと、前記入力フォームを通して提供された情報が格納される入力情報ＤＢと、会員登録時に提供される利用者情報が格納される会員情報ＤＢ及び登録された会員が使用する無線端末機のモバイル規格とプラットホーム情報が格納される無線端末機情報ＤＢと、を含み、
情報を提供しようとする有無線端末クライアントの要請に従い提供する情報に対応して要請した有無線端末クライアントに適用される入力フォームを前記入力フォームＤＢから抽出して伝送し前記入力フォームを通して情報を提供され前記入力情報ＤＢに格納する段階と、
情報を利用しようとする有無線端末クライアントが情報要請のため接続認証されると、前記有無線サーバーは前記情報利用有無線端末クライアントに対応する端末装置の規格(プロトコル)とプラットホーム情報を前記無線端末機情報ＤＢから抽出して前記データ変換/伝送サーバーに伝達する段階と、
前記データ変換/伝送サーバーは前記要請された情報を前記入力情報ＤＢから抽出する段階と、
前記データ変換/伝送サーバーにより前記抽出された要請情報を前記伝達された端末装置の規格(プロトコル)とプラットホームに対応するフォーマットに変換する段階と、
前記変換された情報を接続された端末装置に伝送する段階と、を含むことを特徴とするデータ変換/伝送方法。
【請求項３】
前記入力フォームには前記有無線サーバーのＵＲＬ情報が含まれることを特徴とする請求項６に記載のデータ変換/伝送方法。
【請求項４】
前記情報提供有無線端末クライアントから提供される情報には前記情報が提供される地域情報が含まれることを特徴とする請求項６に記載のデータ変換/伝送方法。
【請求項５】
前記情報提供有無線端末クライアントから提供される情報に対応する入力フォームが存在しない場合前記情報提供有無線端末クライアントが入力しようとする情報を分析して入力フォームを生成し前記データサーバーに格納すると同時にコレを情報提供有無線端末クライアントに提供することを特徴とする請求項６に記載のデータ変換/伝送方法。
【請求項６】
前記情報提供有無線端末クライアントから提供される情報は会員により分類して格納し、情報の種類または情報利用地域により分類して前記データサーバーに格納することを特徴とする請求項６に記載のデータ変換/伝送方法。
【請求項７】
前記変換されるフォーマットは有線端末クライアントの場合ＨＴＭＬやＸＭＬフォーマットを含み、無線端末クライアントの場合ＷＭＬ、ＨＤＭＬ、ＷｉｎＣＥまたはＪＡＶＡを含むことを特徴とする請求項６に記載のデータ変換/伝送方法。
【請求項８】
前記情報利用有無線端末クライアントの端末装置情報が前記データ変換/伝送サーバーに伝達されると、前記端末装置情報に基づいて前記接続された有無線端末クライアントを支援するかどうかを判断する段階をさらに含むことを特徴とする請求項６に記載のデータ変換/伝送方法。
【請求項９】
前記入力フォームを通して情報を提供され前記データサーバーに格納した後、前記提供された情報の入力リストが表示され、前記情報提供有無線端末クライアントの選択により前記提供された情報のサービスを提供したり提供しないことを特徴とする請求項６に記載のデータ変換/伝送方法。
【国際調査報告】
2006512631.tif 000010